(57)【要約】【課題】多彩な風を評価、測定する。【解決手段】風測定装置５０は、複数の風量計５２を備える。複数の風量計５２は、観測点を中心とする仮想的な球体の表面上に実質的に等間隔に配置され、それぞれが球体の法線方向に指向性を有している。信号処理部５４は、複数の風量計５２により取得された各方向の風量を電子化し、観測点の環境風を示すデータとして出力する。複数の風量計５２は、球体を近似する仮想的なフラードームの各頂点もしくは各面の中心に対応づけて配置される。【選択図】図３
2010203909.tif 000002
【特許請求の範囲】
【請求項１】
観測点を中心とする仮想的な球体の表面上に実質的に等間隔に配置され、それぞれが前記球体の法線方向に指向性を有する複数の風量計と、
前記複数の風量計により取得された各方向の風量を電子化し、観測点の環境風を示すデータとして出力する信号処理部と、
を備えることを特徴とする風測定装置。
【請求項２】
前記複数の風量計は、前記球体を近似する仮想的なフラードームの各頂点に対応づけて配置されることを特徴とする請求項１に記載の風測定装置。
【請求項３】
前記複数の風量計は、前記球体を近似する仮想的なフラードームの各面の中心に対応づけて配置されることを特徴とする請求項１に記載の風測定装置。
【請求項４】
前記複数の風量計は、前記球体と接する仮想的な正１２面体もしくは正２０面体の各頂点に配置されることを特徴とする請求項１に記載の風測定装置。
【請求項５】
前記複数の風量計は、前記球体と接する仮想的な正１２面体もしくは正２０面体の各面の中心に配置されることを特徴とする請求項１に記載の風測定装置。
【請求項６】
本風測定装置は、利用者に環境風を提示する環境風提示装置により再生されることを前提として、前記環境風を示すデータを出力するものであり、
前記環境風提示装置は、
利用者を中心とする仮想的な球体の表面上に、実質的に等間隔に配置された複数の送風用ファンと、
前記利用者に対して提示すべき環境風を示すデータにもとづいて、前記複数の送風用ファンの回転数を制御する制御部と、
を備え、
前記環境風提示装置の前記複数の送風用ファンは、前記風測定装置の前記複数の風量計と１対１で対応づけられており、前記制御部は、各送風用ファンをそれぞれ、対応する前記風量計により取得された風量に対応する回転数で回転させることを特徴とする請求項１から５のいずれかに記載の風測定装置。
【発明の詳細な説明】
【技術分野】
【０００１】
本発明は、風を測定する装置に関する。
【背景技術】
【０００２】
近年、テレビの大型化や、ＤＶＤ、高機能なゲーム機器の急激な普及にともない、家庭で映画やゲームを臨場感豊かに楽しむことが可能なホームシアターなどへの関心が高まっている。こうしたホームシアターやゲームに代表されるような仮想空間生成装置においては、リアルな映像に加えて、以下のような付加的な機能を提示することにより、より臨場感を高める試みがなされている。
【０００３】
たとえば、５．１ｃｈのサラウンドシステムを用いた立体音響や、利用者に対して振動を与える振動ユニットは、利用者に対して、より高い臨場感を提示するものである。また、遊技施設におけるアトラクションなどのエンターテイメントの分野では、映像に併せて客席が動くものや、ヘッドアクショントラッカーを内蔵し、ゲーム内の仮想空間を全方位見渡せるヘッドマウントディスプレイも実用化されている。
【０００４】
さらに、こうした仮想空間生成装置に、送風用のファンを設けることにより、提示される仮想空間と同期して利用者に風圧を与え、よりリアルな環境を提示するこころみがなされており、その呈示感覚は「風覚」とも呼ばれている（たとえば、特許文献１〜４参照）。
【０００５】
上述した仮想空間生成装置で再生されることを前提として、あるいは環境風のアーカイブを目的として、風を測定するデバイス（以下、風測定装置という）が提案されている（特許文献４、５）。
【先行技術文献】
【特許文献】
【０００６】
【特許文献１】特開２０００−７８４３０号公報
【特許文献２】特開２００３−６７１０７号公報
【特許文献３】特開平６−２１００６５号公報
【特許文献４】特開２００７−３０７０９７号公報
【特許文献５】特開２００７−３０７０９８号公報
【発明の概要】
【発明が解決しようとする課題】
【０００７】
従来の風測定装置は、極限られた方向からの風を評価することができたに過ぎず、自然界に存在する多彩な風を適切に評価するには不十分であった。
【０００８】
本発明はこうした背景からなされたものであり、その包括的な目的は、多彩な風を測定できるデバイスの提供にある。
【課題を解決するための手段】
【０００９】
本発明のある態様は、風測定装置に関する。風測定装置は、観測点を中心とする仮想的な球体の表面上に実質的に等間隔に配置され、それぞれが球体の法線方向に指向性を有する複数の風量計と、複数の風量計により取得された各方向の風量を電子化し、観測点の環境風を示すデータとして出力する信号処理部と、を備える。
【００１０】
この態様によると、複数の風量計が観測点を中心として対称的に配置されるため、さまざまな方向からの風の強さを、独立に計測することができる。
【００１１】
複数の風量計は、球体を近似する仮想的なフラードームの各頂点に対応づけて配置されてもよい。あるいは複数の風量計は、球体を近似する仮想的なフラードームの各面の中心に対応づけて配置されてもよい。
この態様によれば、すべて風量計を幾何学的に対称に配置できる。
【００１２】
複数の風量計は、球体と接する仮想的な正１２面体もしくは正２０面体の各頂点に配置されてもよい。あるいは複数の風量計は、球体と接する仮想的な正１２面体もしくは正２０面体の各面の中心に配置されてもよい。
【００１３】
本風測定装置は、利用者に環境風を提示する環境風提示装置により再生されることを前提として、環境風を示すデータを出力するものであってもよい。環境風提示装置は、利用者を中心とする仮想的な球体の表面上に、実質的に等間隔に配置された複数の送風用ファンと、利用者に対して提示すべき環境風を示すデータにもとづいて、複数の送風用ファンの回転数を制御する制御部と、を備えてもよい。環境風提示装置の複数の送風用ファンは、風測定装置の複数の風量計と１対１で対応づけられており、制御部は、各送風用ファンをそれぞれ、対応する風量計により取得された風量に対応する回転数で回転させてもよい。
【００１４】
この場合、環境風提示装置の複数の送風用ファンは対称的に配置されるため、利用者に対して偏り無く多彩な風を提示することができる。風測定装置は、この環境風提示装置が再生すべき環境風を示すデータを、好適に生成することができる。
【００１５】
なお、以上の構成要素の任意の組み合わせ、本発明の表現を、方法、装置、システム、記録媒体、コンピュータプログラムなどの間で変換したものもまた、本発明の態様として有効である。
【発明の効果】
【００１６】
本発明によれば、多様な風を適切に測定、評価できる。
【図面の簡単な説明】
【００１７】
【図１】実施の形態に係る環境風提示装置の構成を示す図である。
【図２】図２（ａ）、（ｂ）は、比較技術に係る環境風提示装置の構成を示す図である。
【図３】実施の形態に係る風測定装置の構成を示す図である。
【発明を実施するための形態】
【００１８】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく単に例示であって、実施の形態に記述されるすべての特徴やその組み合わせは、必ずしも発明の本質的なものであるとは限らない。
【００１９】
（環境風の提示：ウィンドディスプレイ）
図１は、実施の形態に係る環境風提示装置２０の構成を示す図である。環境風提示装置２０は、家庭用のゲーム機器、映画視聴装置、あるいは遊技施設における遊技装置として利用することができる。環境風提示装置２０は、風を表示するデバイスと把握できるため、ウィンドディスプレイとも称される。
【００２０】
環境風提示装置２０は、中央に利用者２００が位置するように構成される。本実施の形態に係る環境風提示装置２０は、複数の送風用ファン２２と、風圧制御部２４と、送風用ファン２２を保持するための構造体２６を備える。
【００２１】
複数の送風用ファン２２は、利用者２００の想定位置を中心とする、仮想的な球体の表面上に配置されており、隣接する送風用ファン２２は、実質的に等間隔に配置されている。送風用ファン２２は、単相であると複相であるとを問わず、様々なモータのロータに、ファンを取り付けることにより構成することができる。
【００２２】
利用者２００の想定位置とは、利用者２００が環境風提示装置２０を使用する際に想定される任意の位置をいい、たとえば利用者２００の頭部を中心とすることが好ましい。なぜなら、利用者２００の頭部は、衣類に覆われていないため露出部分が多く、また、人間は頭髪に風を受けると、体感的に風圧を感知しやすいためである。なお、頭部に代えて、胸部を中心としてもよいし、腹部を中心としてもよい。
【００２３】
送風用ファン２２の個数は任意であるが、好ましくは１２個以上であることが望ましい。複数の送風用ファン２２が想定位置から等距離であって、かつ隣接する送風用ファン２２同士の距離が等距離となるためには、送風用ファン２２をフラードームか正多面体の頂点もしくは面上に配置すればよい。たとえば、送風用ファン２２の均等な配置としては、構成１ａが例示される。
【００２４】
１ａ．  複数の送風用ファン２２は、仮想的な球体を近似したフラードーム構造の各頂点に配置される。フラードームとは、正２０面体を同心の球面上に投影し、さらに各面を、正三角形や六角形に曲面分割を繰り返して生成される構造体をいい、ジオデシックドームとも呼ばれる。図１には、正２０面体球の１辺を２分割したフラードーム型（頂点数４２個）の構造体２６が示される。構造体２６は、フラードームの辺を構成する辺部材２８と、頂点部材３０を含む。
【００２５】
円状の頂点部材３０の中心部、つまりフラードームの頂点には、送風用ファン２２が固定されている。なお、利用者２００の移動性を確保するため、利用者２００の足下付近、つまりフラードームの底部には、送風用ファン２２を設けなくてもよい。この場合、送風用ファン２２の個数は４２から１を減じた４１個となる。
【００２６】
なおフラードームには、図１に示す構造の他にも、分割数を変更したさまざまな構造がありえ、それらも本発明の範囲に含まれる。
【００２７】
風圧制御部２４は、利用者に対して提示すべき環境風を示すデータ（以下、環境風データ）Ｄｗｉｎｄにもとづいて、複数の送風用ファン２２の回転数を制御する。すべての送風用ファン２２と風圧制御部２４とは、配線２５で接続されており、風圧制御部２４から各送風用ファン２２には、回転数（トルク）に応じた制御信号が供給される。環境風データＤｗｉｎｄは、仮想空間の設計者がコンピュータプログラムなどを用いて生成したものであってもよいし、あるいは後述する風測定装置によって取得されたものであってもよい。
【００２８】
たとえば風圧制御部２４は、利用者２００に対し、環境風とともに提示するその他の音声や映像などの環境情報に同期して、利用者２００に対して風圧を与えることができる。たとえば、利用者２００が体感する仮想空間において、爆発が起こった場合には、送風用ファン２２を強く回転させることにより、爆風を再現する。このとき、爆発が起こった方向に配置される送風用ファン２２を駆動することにより、利用者２００はあたかもその方向に実際に爆発が起こったかのような臨場感を味わうことができる。また、利用者２００が視聴する映像において、風が吹いている場合には、風向に応じて、駆動する送風用ファン２２を選択し、風量に応じて回転数を制御することにより、環境風を再現することができる。
【００２９】
上述したように、各送風用ファン２２の回転数を制御するための環境風データＤｗｉｎｄは、映像、音声とともにディスクなどに保存されていてもよい。風圧制御部２４はそれらのデータを読み出し、複数の送風用ファン２２を駆動する。この場合、映画などのコンテンツ制作者が、映像、音声により再現される仮想空間に適した風向、風量に関するデータを作成する必要があるが、各場面に応じて最適な風量、風向を再現することができるため、臨場感の高い仮想空間を提示することができる。
【００３０】
また、現在普及しているようなＤＶＤに記録された映画などのコンテンツであって、風に関するデータを含まないコンテンツにもとづいて仮想空間を再現する場合には、風圧制御部２４は、映像データ、音声データにもとづいて、環境風データＤｗｉｎｄを生成してもよい。
【００３１】
環境風提示装置２０がゲーム機器などに接続されて使用される場合には、環境風提示装置２０により利用者２００に与えられる風量、風向は、ゲーム機器における演算処理結果により得られる環境風データＤｗｉｎｄにもとづいてもよい。
【００３２】
以上が環境風提示装置２０の構成である。図１の環境風提示装置２０によれば、利用者２００に対して、４２方向から真下を除く４１方向から、風を任意の強さで提示することができる。この際、任意の単一の送風用ファン２２のみによって任意の強度の風を提示することも可能であるし、任意の複数の送風用ファン２２によって風を提示することも可能であり、個々の送風用ファン２２の風量を独立に制御することもできる。
【００３３】
実施の形態に係る環境風提示装置２０によれば、複数の送風用ファン２２と、利用者２００との距離が等しく、かつ各送風用ファン２２は実質的に等間隔に配置されている。したがって、利用者２００に与える風の偏りを無くすことができる。
【００３４】
この利点は、従来の、あるいは仮想的な以下の比較技術との対比によって明確となろう。もし仮に、特許文献４の図１、図２に記載されるように、送風用ファンが利用者２００の頭部の周囲のみに配置される場合、利用者２００に与えられる風は水平方向のみに限定されてしまう。これに対して、本願の図１の環境風提示装置２０によれば、あらゆる方向から風を提供することが可能となる。
【００３５】
図２（ａ）、（ｂ）は、比較技術に係る環境風提示装置３００の構成を示す図である。図２（ａ）は上方から見た投影図を、同図（ｂ）は横方向から見た投影図を示す。図２（ａ）、（ｂ）に示すように、環境風提示装置３００には、ユーザの頭部を含むＸ−Ｙ平面内に８個の中段送風用ファンＦ１〜Ｆ８が設けられる。各送風用ファンＦ１〜Ｆ８の４５度上方には、上段送風用ファンＦＵ１〜ＦＵ８が設けられ、各送風用ファンＦ１〜Ｆ８の４５度下方には、下段送風用ファンＦＬ１〜ＦＬ８が設けられる。さらに中段送風用ファンＦ１〜Ｆ８の９０度上方、つまり利用者２００の頭上には、送風用ファンＦＴが設けられる。このような環境風提示装置３００では、隣接する２つの送風用ファンが利用者２００を頂点として成す角度は、いずれも４５度となり等しいが、隣接する送風用ファンの間隔は異なってしまう。このような環境風提示装置３００において、すべての送風用ファンから同じ風速（強度）の風を利用者２００に提示した場合、利用者２００は、中段よりも上段の方が多くの風を感じることとなる。つまり、風に偏りが発生することになる。
【００３６】
これに対して、実施の形態に係る環境風提示装置２０によれば、あらゆる方向から均等に偏り無く風を提示することができる。
【００３７】
以上が環境風提示装置２０の利点である。ここでは環境風提示装置２０が４１個の送風用ファン２２を備える場合を説明したが、コストや環境風の再現精度を考慮して、送風用ファン２２の個数を減らした方が望ましい場合もあろう。この場合には、以下の変形例１ｂ〜３ｂを採用することができる。
【００３８】
１ｂ．  複数の送風用ファン２２は、球体を近似したフラードームの各面の中心に配置される。
【００３９】
２ａ．  複数の送風用ファン２２は、想定位置を中心とする仮想球と接する仮想的な正１２面体の各面の中心に配置される。この場合、送風用ファン２２の数は、１２個となる。
【００４０】
２ｂ．  複数の送風用ファン２２は、想定位置を中心とする仮想球と接する仮想的な正１２面体の各頂点に配置される。この場合、送風用ファン２２の数は、２０個となる。
【００４１】
３ａ．  複数の送風用ファン２２は、想定位置を中心とする仮想球と接する仮想的な正２０面体の各面の中心に配置される。この場合、送風用ファン２２の数は、２０個となる。
【００４２】
３ｂ．  複数の送風用ファン２２は、想定位置を中心とする仮想球と接する仮想的な正２０面体の各頂点に配置される。この場合、送風用ファン２２の数は、１２個となる。
【００４３】
あるいは、方向の分解能をさらに落としてよい場合には、上記１ａ〜３ｂにおいて、いくつかの送風用ファン２２を間引きしてもよい。また、風を提示する必要がない方向が存在する場合、それらの方向に対応する送風用ファン２２を省略することもできる。
【００４４】
あるいは、環境風の再現精度を高めるために、フラードームの分割数を増加させ、より多くの送風用ファン２２を設けてもよい。
【００４５】
（環境風の測定：ウィンドカメラ）
これまでは、利用者２００に環境風を提供する装置について説明した。以下では、環境風を測定する装置について説明する。
【００４６】
図３は、実施の形態に係る風測定装置５０の構成を示す図である。風測定装置５０は、観測点に吹き込む風の強度を、方向ごとに独立に測定するための装置である。このことから、風測定装置５０をウィンドカメラとも称する。
【００４７】
風測定装置５０は、観測点が中心に位置するように構成され、複数の風量計５２、信号処理部５４、および複数の風量計５２を保持するための構造体５６を備える。
【００４８】
複数の風量計５２は、観測点を中心とする仮想的な球体の表面上に配置されており、隣接する風量計５２同士は、実質的に等間隔に配置される。各風量計５２は、球体の法線方向に指向性を有する。たとえばある風量計５２に対して斜め方向に風が吹き込む場合、その風の法線方向のベクトル成分のみが風量として抽出される。
【００４９】
風量計５２の個数は任意であるが、好ましくは１２個以上であることが望ましい。複数の風量計５２が観測点から等距離であって、かつ隣接する風量計５２同士の距離が等距離となるためには、風量計５２をフラードームか正多面体の頂点もしくは面上に配置すればよい。たとえば、送風用ファン２２の均等な配置としては、以下の構成４ａが例示される。
【００５０】
４ａ．  複数の風量計５２は、仮想的な球体を近似したフラードーム構造の各頂点に配置される。図３には、正２０面体球の１辺を２分割したフラードーム型（頂点数４２個）の構造体５６が示される。構造体５６は、フラードームの辺を構成する辺部材５８と、頂点部材６０を含む。円状の頂点部材６０の中心部、つまりフラードームの頂点には、各々１個の風量計５２が固定されている。
【００５１】
なおフラードームには、図３に示す構造の他にもさまざまな構造がありえ、それらも本発明の範囲に含まれる。
【００５２】
信号処理部５４は、配線５５を介して複数の風量計５２と接続されており、各風量計５２によって取得された各方向の風量（風速）を電子化し、観測点の環境風を示すデータ（環境風データ）Ｄｗｉｎｄとして出力する。
【００５３】
以上が風測定装置５０の構成である。図３の風測定装置５０によれば、観測点に対して多方向から吹き込む風あるいは吹き去る風を、独立のベクトル成分として評価することができる。
【００５４】
この利点は、従来の比較技術との対比によって明確となろう。特許文献４の図３に記載される測定装置は、Ｘ軸の正負２方向、Ｙ軸の正負２方向、Ｚ軸の正負２方向の合計６個のベクトルに分解して環境風を評価するものである。したがって、たとえば測定装置に対して、Ｘ軸とＹ軸から４５度ずれた斜め方向から風速αの風が吹き込んだ場合、測定装置は、Ｘ軸方向から風速α／√２の風が吹き込み、Ｙ軸方向から風速α／√２の風が吹き込んでいる状態と判定し、それに応じたデータを生成する。
【００５５】
しかしながら、厳密な観点からいえば、Ｘ方向、Ｙ方向それぞれから風速α／√２の風が吹き込んでいる状況と、Ｘ軸とＹ軸から４５度ずれた斜め方向から風速αの風が吹き込んでいる状況は、区別されるべきである。
たとえば、人間は、北方向から風速１ｍの風を南方向から風速２ｍの風を同時に受けている状態と、南方向から風速１ｍの風を受けている状況を区別することができるし、あるいは、ある物体を、そのような２つの状況においた場合の物体の振る舞いは、異なるはずだからである。
【００５６】
実施の形態に係る風測定装置５０によれば、４２方向からの風を、方向ごとに評価できるため、従来に比べて、自然界に存在する風を適切に観測、評価することが可能となる。
【００５７】
以上が風測定装置５０の利点である。図１の環境風提示装置２０は、４２個の風量計５２を備える場合を説明したが、コストや環境風の状況を考慮して、風測定装置５０の個数を減らしてもよい。この場合には、以下の変形例４ｂ〜６ｂを採用することができる。
【００５８】
４ｂ．  複数の風量計５２は、球体を近似したフラードームの各面の中心に配置される。
【００５９】
５ａ．  複数の風量計５２は、想定位置を中心とする仮想球と接する仮想的な正１２面体の各面の中心に配置される。この場合、風量計５２の数は、１２個となる。
【００６０】
５ｂ．  複数の風量計５２は、想定位置を中心とする仮想球と接する仮想的な正１２面体の各頂点に配置される。この場合、風量計５２の数は、２０個となる。
【００６１】
６ａ．  複数の風量計５２は、想定位置を中心とする仮想球と接する仮想的な正２０面体の各面の中心に配置される。この場合、風量計５２の数は、２０個となる。
【００６２】
６ｂ．  複数の風量計５２は、想定位置を中心とする仮想球と接する仮想的な正２０面体の各頂点に配置される。この場合、風量計５２の数は、１２個となる。
【００６３】
あるいは、方向の分解能をさらに落としてよい場合には、上記４ａ〜６ｂにおいて、いくつかの風量計５２を間引きしてもよい。また、風を評価する必要がない方向が存在する場合、それらの方向に対応する風量計を省略することもできる。
あるいは、環境風の測定精度を高めるために、フラードームの分割数を増加させ、より多くの風量計５２を設けてもよい。
【００６４】
このような図３の風測定装置５０は、世界遺産、史跡や観光名所の風をアーカイブ化することに利用することができる。あるいは風力発電所の設計や建造物の設計に大いに役立つであろう。あるいは、竜巻やハリケーンの観測や、惑星上の風の観測などにも利用することができる。
【００６５】
（ウィンドステージ）
図１の環境風提示装置（ウィンドディスプレイ）２０と図３の風測定装置（ウィンドカメラ）５０はペアを成して、ウィンドステージと呼ばれるシステムを構築することができる。
【００６６】
つまり風測定装置５０によって生成された環境風データＤｗｉｎｄは、上述した図１の環境風提示装置２０によって再生することを前提として取得され、環境風提示装置２０は風測定装置５０によって生成された環境風データＤｗｉｎｄを再生する。つまり両者はレコーダとプレイヤの関係にある。
【００６７】
ウィンドステージを構成する環境風提示装置２０と風測定装置５０は、同様のトポロジーで構成される。つまり、環境風提示装置２０の複数の送風用ファン２２は、風測定装置５０の複数の風量計５２と１対１で対応づけられており、対応する送風用ファン２２と風測定装置５０同士は、位置と方向が一致している。
【００６８】
なお風測定装置５０は、利用者２００を取り囲むのに十分なサイズが必要であるため、仮想的な球体の直径は２ｍ程度、あるいはそれ以上必要であるが、風測定装置５０のサイズには限定が無く、たとえば直径０．５ｍ程度の仮想的な球体に収まるサイズとしてもよい。
【００６９】
このウィンドステージにおいて、環境風提示装置２０の風圧制御部２４は、各送風用ファン２２をそれぞれ、対応する風量計５２により取得された風量に対応する回転数で回転させる。
【００７０】
このウィンドステージによれば、風測定装置５０によって取得した環境風を、異なる時間あるいは異なる場所において、環境風提示装置２０によって再現することが可能となる。
【００７１】
たとえばウィンドステージは、ＣＧ（コンピュータグラフィックス）を利用した映画撮影などに利用することができる。ＣＧで描かれた背景あるいは実際に撮影された背景（これらを仮想空間という）と、現実の俳優を合成することにより、あたかも仮想空間に俳優が存在するかのような演出が可能となる。
【００７２】
このＣＧ技術では以下の処理が行われる。
１．  ブルーバック（ブルースクリーン）、グリーンバックなどと呼ばれる背景の前で俳優を撮影する（撮影）。
２．  撮影された映像からブルーの部分つまり俳優以外の部分を削除して、俳優の映像のみを抽出する（マット処理）。
３．  抽出された俳優の映像を、仮想空間の背景と合成するステップ（合成処理）。
【００７３】
より臨場感を高めるために俳優に対して風を与えたい場合、現状ではアシスタントが送風機を使って風を吹き付ける必要がある。しかしながら、こうして生成される風は、実際に測定された風ではなく単調であり、またテイクを重ねるごとに再現性が損なわれるという問題がある。
【００７４】
かかる状況において、実施の形態に係るウィンドステージを好適に利用できる。この場合、以下の処理が実行される。
１．  俳優に与えるべき風が存在するロケーションに風測定装置５０を配置し、その場所の環境風を測定する。
２．  ブルースクリーンの手前に環境風提示装置２０を配置したスタジオにおいて、環境風提示装置２０の内部で俳優（利用者２００）が演技をし、その状況を撮影する。好ましい別の実施例では、環境風提示装置２０のフラードームの各面に、ブルーバックやグリーンバックを貼り付けてもよい。
３．  撮影の際には、測定した環境風を俳優に提示する。撮影された映像中の俳優は、風によって表情が変わったり、頭髪がなびいたりするであろう。
４．  撮影した映像から俳優を抽出する（マット処理）。
５．  抽出した俳優の映像を、仮想空間の背景と合成する（合成処理）。
【００７５】
このウィンドステージによれば、よりリアルなＣＧを生成できる。また、テイクを重ねた場合であっても、常に同じ環境風を俳優に提示することができる。
【００７６】
あるいは映画以外にも、ウィンドステージは利用できる。たとえば、環境風提示装置２０と風測定装置５０を互いに遠隔の地に設置し、両者を通信インタフェースを介して接続すれば、リアルタイムで遠隔地の風を再現することが可能となる。
【００７７】
さらには、現在の３Ｄ（３次元）−ＣＧソフトウェアでは、仮想空間を物理シミュレーションによって再現している。すなわち、３Ｄのキャラクタやオブジェクトに重力や風といった情報を与えると、ＣＰＵによって物理シミュレーションが実行され、キャラクタの服や髪はそれに応じた挙動を示し、リアルな表現が可能となっている。従来では、それらの重力や風情報を入力するには熟練した技術と膨大な手間と時間が必要であったが、実施の形態に係る風測定装置（ウィンドカメラ）５０を用いることにより、実際の風情報を３Dソフトウェアに取り込むことも可能となる。
【００７８】
以上、実施の形態を説明した。実施の形態は例示であり、さまざまな変形例が可能であり、そうした変形例も本発明に含まれることは当業者に理解されるところである。
【符号の説明】
【００７９】
２０…環境風提示装置、２２…送風用ファン、２４…風圧制御部、２５…配線、２６…構造体、２８…辺部材、３０…頂点部材、５０…風測定装置、５２…風量計、５４…信号処理部、５５…配線、５６…構造体、５８…辺部材、６０…頂点部材、２００…利用者。
【図１】
2010203909.tif 000003
【図２】
2010203909.tif 000004
【図３】
2010203909.tif 000005